(57)【要約】【課題】本考案は、グループホーム介護・看護サービスにて、介護等担当者の書類作成の手間を省き、介護等サービスの提供に打ち込む環境づくりを支援できる介護・看護用申請書類を提供し、スムーズな介護・看護を可能とする。【解決手段】本考案に係るグループホーム介護・看護サービス実施記録手帳は、被介護者・被看護者の個人情報、被介護者の病歴及び被介護者の各種保険証等の番号等記入欄、及び被介護者の家族の希望記入欄を設けた介護記録誌であって、被介護者の一日の介護時間帯における記録欄、介護者記入欄、清潔介護記録記入欄及び介護者のメッセージ欄を設けてなる複写記録紙の月相当分を綴り、該複写記録用紙に記入時の下敷きを裏表紙に連列した内側に折り曲げた厚紙で形成され、該厚紙の表面に被介護者の一ヶ月の健康具合を示す記入欄を設けたことを特徴とする。【選択図面】  図１【実用新案登録請求の範囲】
【請求項１】
Ｂ５版の大きさであって２枚複写式に作成し、グループホームサービスの記録書と申請書を兼ねたグループホームサービス実施記録誌であって、表表紙と裏表紙の間に２枚複写式のサービス実施記録用紙を相当日数分を重ねて綴じ、該表表紙に被介護者の氏名欄及びグループホームサービスの起算日記入欄を設け、前記グループホームサービス実施記録用紙には被介護者・被看護者の氏名とその被介護者・被看護者の個人情報、被介護者の以前の職業、被介護者の交友関係、被介護者の趣味・特技等、被介護者の病歴及び被介護者の各種保険証等の番号等記入欄、及び被介護者の家族の希望記入欄を設けてなる介護記録誌であって、該介護記録誌の内容物として被介護者の一日の介護時間帯における記録欄、介護者記入欄、水分摂取量、排泄記録欄、お風呂・シャワー・選択等の清潔介護記録記入欄及び介護者のメッセージ欄を設けてなる複写記録紙の月相当分を綴り、該複写記録用紙に記入時の下敷きを裏表紙に連列した内側に折り曲げた厚紙で形成され、前記した時期の表面に被介護者の一ヶ月の血圧、血漿、体温を記入欄及びその他の健康具合を示す記入欄を設けたことを特徴とするグループホーム介護・看護サービス実施記録誌。
【考案の詳細な説明】
【技術分野】
【０００１】
本考案は介護・看護サービスの記録書と申請書を兼ねた介護・看護用申請書類に関する。
【背景技術】
【０００２】
従来、介護・看護サービスの支援業者が介護等のサービスの対価を役所や関係機関に請求する場合、所定の様式がなく、支援業者は独自の申請書を作成して申請していた。
【０００３】
また、病人のパーソナルデータ及び緊急時連絡先一覧に関する記入欄と、病人の病歴等を記入する病歴記入欄と、入院に際し記録すべき事項や確認しておくべき事項等を記入する入院記録欄と、お見舞いに来た人及びお見舞いの内容を記入するお見舞い記録記入欄と、今日の体調・感想・治療等の今日行われたことを記録する今日の記録欄と、を備えてなることを特徴とする入院記録・看病ノートに関する発明がある(特開２００３−２５７６８参照)。
【特許文献１】特開２００３−２５７６８号公報
【０００４】
しかし、介護・看護サービスの支援業者が独自の申請書を作成して役所や関係機関に申請した場合、はたして申請通りの介護・看護サービスが行われたか否かは前記役所や関係機関の担当者が直接、現場に立ち会ったわけではないので、十分なチェック機能が働かず、専ら当事者の信頼関係に基づく以外、適切な方法がなかった。
【０００５】
そこで本考案者は２枚複写式で、介護・看護サービスの記録書と申請書を兼ね、身体看護と生活援助の２項目を中心に記録し、時間計算やポイント計算がしやすい内容になっており、１枚は介護等の担当者が、介護費用等の請求用紙として使用し、役所や 公共団体等の関係機関に提出し、もう１枚は、被介護者・被看護者本人または家族が、毎日の介護等や健康状況の記録を手元に保存することができ、デイケアの状況や生活が分かり、１枚の申請書類を提出するだけで済み、事務手続の簡略化を促進させ、介護等担当者の書類作成の手間を省き、介護等サービスの提供に打ち込む環境づくりを支援できる介護・看護用申請書類を発明した。
【０００６】
また、上記発明はタイムカード状の書式であり、どの時間にどの介護・看護サービスが行われたか、早朝、昼間、夜間、深夜それぞれ何時間介護・看護サービスを行ったか、食事の内容等、デイケアの状況や生活が分かり易いものである。
【考案の開示】
【考案が解決しようとする課題】
【０００７】
しかし、上記考案は在宅介護・看護サービスのための様式ゆえ、被介護者・被看護者がグループホーム介護・看護サービスを受ける場合、事前に被介護・被看護者がどのような状態にあるのか介護者・看護者が把握することが困難であった。また、担当する介護者・看護者が頻繁に変わるグループホーム介護・看護サービスにおいては、連続的に被介護者・被看護者の様子を見ることが出来、その変化に対応できる在宅被介護及び看護サービスと異なり、被介護者・被看護者の状態に関する情報が少なく、スムーズな介護・看護を行うことが困難であった。
【０００８】
また、グループホーム介護・看護サービスにおいては、日常的に家族と被介護者・被看護者が接する機会が少なく、心身の状態、介護の状況などを知ることが困難であった。そこで、介護・看護担当者から申し送りメッセージを詳細に記載でき、また家族からの連絡事項を記載する欄を設け、介護・看護担当者と被介護者・被看護者及び家族とのコミュニケーションをより円滑にし、新たな病気の早期発見、介護や生活の改善などにも役立つ貴重な資料となる介護・看護用申請書類が必要とされている。
【０００９】
本考案は上記の点に鑑みてなされたもので、その目的とするところは、２枚複写式で、介護・看護サービスの記録書と申請書を兼ね、援助内容として身体看護、生活援助の２項目を詳細に記録し、時間計算やポイント計算が簡単にでき、１枚はグループホーム介護・看護サービスの担当者が、介護費用等の請求用紙として使用し、役所や公共  団体等の関係機関に提出し、もう１枚は被介護者・被看護者本人または家族が毎日の介護等や健康状況の記録を手軽に手元に保存することができ、介護・看護サービスの内容やデイケアの状況が分かりやすく、家族及び被介護・看護者の理解を深めることができる。また申請書類を公的機関に提出するだけで済み、事務手続の簡略化を促進させ、介護等担当者の書類作成の手間を省き、介護等サービスの提供に打ち込む環境づくりを支援できる介護・看護用申請書類を提供し、被介護者・看護者がグループホームにて介護・看護サービスを受ける場合、被介護者・被看護者の状態に関する情報を提供することでスムーズな介護・看護を行うことができるようにする目的とする。
【００１０】
また、本考案では、前記グループホーム介護・看護サービス実施記録用紙には被介護者・被看護者の氏名とその被介護者・被看護者の個人情報、被介護者の以前の職業、被介護者の交友関係記入欄を設けたことでグループホーム介護・看護サービスを受ける以前の被看護者の状態を詳細に把握することが出来、グループホームでの介護・看護をスムーズに行うことが出来る。また、被介護者・被看護者の家族構成欄、家族の記入欄を設けたことで、被介護者・被看護が有事の際に様々な対処が可能となる。また、被介護者の病歴及び被介護者の各種保険証等の番号等記入欄を設けたことで、被看護者・介護者に問題が生じた場合には、新たな病気の早期発見、介護や生活の改善などにも役立つ貴重な資料とする。
【００１１】
また、該複写記録用紙に記入時の下敷きを裏表紙に連列した内側に折り曲げた厚紙で形成し、２枚複写式の介護・看護サービスの記録書の下敷きとするばかりでなく、前記厚紙に被介護者・看護者の体温、血漿量、体温、排便確認欄、食事量、臨時項目、内服薬、既往歴等の記入欄を設け被介護者・看護者の状態の変化を知ることが可能とする。
【課題を解決するための手段】
【００１２】
本考案に係るグループホーム介護・看護サービス実施記録誌は、Ｂ５版の大きさであって２枚複写式に作成し、グループホーム介護・看護サービスの記録書と申請書を兼ねたグループホーム介護・看護サービス実施記録誌であって、表表紙と裏表紙の間に２枚複写式のサービス実施記録用紙を相当日数分重ねて綴じている。グループホーム介護・看護サービス実施記録用紙には被介護者・被看護者の氏名とその被介護者・被看護者の個人情報、被介護者の以前の職業、被介護者の交友関係、被介護者の趣味・特技等を記入する欄があり、グループホーム介護・看護サービスを受ける以前の被介護者・被看護者の様子が分かり、スムーズなサービスの提供を行うことが可能である。また、被看護者・介護者の病歴及び被介護者の各種保険証等の番号等記入欄、及び被介護者の家族の希望設を設けたことで、被介護者、被看護者に異変が生じた場合、スムーズな医療を行うことが可能である。また、該介護記録誌の内容物として被介護者の一日の介護時間帯における記録欄、介護者記入欄、水分摂取量、排泄記録欄、お風呂・シャワー・洗濯等の清潔介護記録記入欄で、該当する清潔介護記録に○をするだけで良いので介護者・看護者の負担を軽減することが可能である。また介護者のメッセージ欄を設けてなる複写記録紙の月相当分を綴り、該複写記録用紙に記入時の下敷きを裏表紙に連列した内側に折り曲げた厚紙で形成し、前記厚紙の表面に被介護者の一ヶ月の血圧、血漿、体温、排便確認、食事量、内服薬、既往歴、その他の記入欄及びその他の健康具合を示す記入欄を設け、被介護者・看護者の変化の様子を見ることが可能である。
【考案の効果】
【００１３】
本考案は２枚複写式で、介護・看護サービスの記録書と申請書を兼ねる。本日の記録、水分量、排泄量、清潔身体看護とふれあいメッセージの６項目を記録し、サービス開始時間とサービス終了時間、及び介護者が何時間サービスを行ったかを記録することで簡単に介護・看護サービスを行った時間の計算ができ、請求時の時間計算やポイント計算がしやすい内容になっている。また、担当者氏名を記録しておくことにより、集計も簡便にできる。
【００１４】
該複写記録用紙に記入時の下敷きを裏表紙に連列した内側に折り曲げた厚紙で形成したことで、２枚複写式のサービス実施記録用紙に記入する際に前記厚紙を下敷きとして記入することが可能となり、下敷きを紛失する心配は無い。また、前記厚紙の表面に被介護者・看護者の一ヶ月の排便確認、食事量、内服薬、既往歴、その他の健康具合を示す記入欄を設け、被介護者・被看護者の変化の様子を見ることが可能である。
【００１５】
２枚複写式のサービス実施記録用紙のうち、副本の方は介護等の担当者がＡ４に拡大し、そのまま介護費用等の請求用紙として使用することが可能である。介護費用等の請求用紙として使用し、役所や公共団体等の関係機関に提出するが、申請書を受け取った役所等の関係者は介護等担当者が毎日どのような介護等をしたのかが一目で詳細に分かり、介護等の担当者及び家族双方が書類に承認済みであるから、役所等も安心してチェックができ、信頼性の高い申請書との評価を高めることができ、不正受給の防止にも役立つ。
【００１６】
もう１枚は控え書類とし、被介護者・被看護者本人または家族が、毎日の介護や健康状況の記録を手元に３０部、約１月分の手帳として保存することができ、介護等サービスに対して安心して任せることができる。そして、控え書類を見ることにより、被介護者・看護者の生活状況・健康状態が分かり、家族の理解を深めることができる。
【００１７】
また、該介護記録誌の内容物として被介護者の一日の介護時間帯における記録欄、介護者記入欄、水分摂取量、排泄記録欄、お風呂・シャワー・洗濯等の清潔介護記録記入欄で、該当する清潔介護記録に○をするだけで良いので介護者・看護者の負担を軽減することが可能である。
【００１８】
介護等の期間中の控えを手帳状に数日分、例えば３０日、約１月分残し保管するので扱い易く、控えを紛失することがなく、日々のチェックも容易となる上、介護の流れや変更、被介護者・被看護者の状態の変化等が分かり易くなる。
【００１９】
被看護者の個人情報、被介護者の以前の職業、被介護者の交友関係、被介護者の趣味・特技等を記入する欄があり、グループホーム介護・看護サービスを受ける以前の被介護者・被看護者の様子が分かり、スムーズなサービスの提供を行うことが可能である。また、被看護者・介護者の病歴及びアレルギーの有無、被介護者の各種保険証等の番号等記入欄、及び被介護者の家族の希望設を設けたことで、被介護者・被看護者の状態が一目でわかり、介護・看護担当者が初めて担当する被介護者・被看護者であった場合でも対応がし易くなり、被介護者、被看護者に異変が生じた場合、スムーズな医療を行うことが可能である。
【考案を実施するための最良の形態】
【００２０】
本考案の実施例を、図面に基づいて述べる。
図１は切り離し可能な介護・看護サービス実施記録の説明図である。サイズは、例えばＢ５とする。
図１の裏面に例えばカプセル状の無色染料を塗り、図２に示す介護・看護サービス実施記録の表面に活性白土等を塗ったいわゆるノーカーボン紙その他各種複写可能な形式であればよい。
【００２１】
グループホームの被介護者・被看護者の氏名欄１ａ、実施日記入欄１ｂ、天気記入欄１ｃ及び担当者氏名１ｄを記入する。本日の記録記入欄１ｅには患者の様子やその日行ったサービスなどを記録する。介護者記入欄１ｆには各時間帯の介護担当者の氏名を記入する。介護担当者の介護・看護サービスの開始時刻、終了時刻を記録することで援助時間の合計が簡単に計算できる。水分記入欄１ｇには被介護者・被看護者が摂取した水分量を時間毎に記入し、健康状態の確認のため、午前の終わり、午後の終わりにそれぞれトータルの水分摂取量を記入する。１ｈの排泄欄には被介護者・被看護者が排泄したかを時間毎に記入し、健康状態の確認のため、午前の終わり、午後の終わりにそれぞれトータルの排泄量を記入する。清潔サービス欄１ｉは介護者が行った介護サービスに○をする。こうすることで介護者は行ったサービスに○をするだけで済み、作業の効率化が可能となる。ふれあいメッセージ１ｊには介護者・看護者が気づいたことについて書く。
【００２２】
介護・看護サービス実施記録１及び介護・看護サービス実施記録の裏面側に位置する介護・看護サービス実施記録の最上欄には被介護者・被看護者の氏名記入欄１ａ、介護・看護サービス実施日記入欄１ｂ、介護・看護支援業者名記入欄１ｃ、介護・看護サービス開始時間、介護・看護サービス終了時間及び援助時間合計記入欄１ｄ、担当者名記入欄１ｅを設ける。最上欄の下欄には、家族の連絡事項記入欄１ｆを設ける。続く下欄には、援助内容記入欄１ｇを設ける。援助内容記入欄には生活援助実施内容記入欄１ｈ及び身体援助記入欄１ｉを設け、生活援助実施内容記入欄１ｈ及び身体援助記入欄１ｉには、介護・看護サービスの項目を記す。続く下欄には介護・看護担当者メッセージ記入欄１ｊを設ける。最下欄には給付に係わる変更事項記入欄１ｋ、及び被介護者・被看護者本人または被介護者・被看護者の家族の印鑑または署名欄１ｍを設ける。
【００２３】
図３は被介護者・被看護者のフェイスシートである。記入日記載欄は２ａである。記入者記載欄は２ｂで、これは家族等が記入する。２ｃは被介護者・被看護者の氏名記入欄、２ｄは被介護者・被看護者の生年月日等記入欄、２ｅは被介護者・被看護者の身長記載欄、２ｆは被介護者・被看護者の体重記載欄、２ｇは被介護者・被看護者の血液型記載欄、２ｆは被介護者・被看護者の平熱記載欄、２ｈは被介護者・被看護者の平熱記載欄である。２ｉは被介護者・被看護者の血圧記載欄、２ｊは被介護者・被看護者の家族構成記載欄である。２ｋは被介護者・被看護者の以前の職業の記載欄である。２ｌは被介護者・被看護者の以前の交友関係の記載欄である。２ｍは被介護者・被看護者の家族の要望の記載欄である。２ｎは被介護者・被看護者趣味、特技、好き嫌いの記載欄である。２ｏは被介護者・被看護者が日常使用しているものの記載欄である。２ｐは被介護者・被看護者が日常使用しているものの記載欄である。２ｑは被介護者・被看護者の病歴の記載欄である。２ｒは被介護者・被看護者のアレルギー、痴呆等の記載欄である。このような記載欄を設けることで、グループホーム介護・看護サービスを受ける際にも迅速で柔軟な対応が可能となる。
【００２４】
図４は本考案に係る介護・看護用申請書類の表紙の説明図である。
表紙には被介護者・被看護者の氏名の記入欄３及び介護・看護の起算日記入欄６を備える。この起算日記入欄４への記入によって介護・看護サービスの支援業者が起算日から例えば起算日の該当する月末までの請求をするときの目安になり、またいつから介護等を受けているかの計算等に便利である
【００２５】
該複写記録用紙には連列した図５を設ける。図５は裏表紙に連列した内側に折り曲げた厚紙で形成し、２枚複写式のグループホーム実施記録の記入時の下敷きとする。前記厚紙の表面は温度版とし、該温度版は一ヶ月記入できるものとする。該温度版には温度版の記入日５ａ、温度版の使用月記入欄５ｂ、被介護者・被看護者の氏名５ｃ、被介護者・被看護者の入居日、被介護者・被看護者の生年月日記入欄５ｄ、被介護者・被看護者の身長記入欄５ｅ、被介護者・被看護者の体重記入欄５ｆ、被介護者・被看護者の血圧、血漿値、体温欄、排便確認欄、被介護者・被看護者の食事量５ｈ、被介護者・被看護者の内服薬欄    、被介護者・被看護者の既往欄を設け一ヶ月の血圧、血漿、体温、排便確認５ｆ、食事量５ｈ、内服薬５ｉ、既往歴５ｊ、その他の記入欄及びその他の健康具合を示す記入欄を設け、被介護者・看護者の変化の様子を見ることが可能である。
【図面の簡単な説明】
【００２６】
【図１】本考案に係るグループホーム実施記録の正本の一例である。
【図２】本考案に係るグループホーム実施記録の副本一例である。
【図３】本考案に係るグループホーム実施記録のフェイスシートの一覧である。
【図４】本考案に係るグループホーム実施記録の表紙を示す一例である。
【図５】本考案に係るグループホーム実施記録の下敷きとして用いる温度表の一例である。
【図６】本考案に係るグループホーム実施記録の連絡先や相談窓口等の欄を記載した裏表紙の説明図である。
【符号の説明】
【００２７】
１ａ  グループホームの被介護者・被看護者の氏名欄
１ｂ  実施日記入欄を記入する
１ｃ  天気記入欄
１ｃ  介護・看護支援業者名記入欄
１ｅ  本日の記録記入欄
１ｆ  介護者記入欄
１ｇ  水分記入欄
１ｈ  排泄欄
１ｉ  清潔サービス欄
１ｊ  ふれあいメッセージ
２ａ  記入日記載欄
２ｂ  記入者記載欄
２ｃ  被介護者・被看護者の氏名記入欄
２ｄ  被介護者・被看護者の生年月日等記入欄
２ｅ  被介護者・被看護者の身長記載欄
２ｆ  被介護者・被看護者の体重記載欄
２ｇ  被介護者・被看護者の血液型記載欄
２ｆ  被介護者・被看護者の平熱記載欄
２ｈ  被介護者・被看護者の平熱記載欄
２ｉ  被介護者・被看護者の血圧記載欄
２ｊ  被介護者・被看護者の家族構成記載欄
２ｋ  被介護者・被看護者の以前の職業の記載欄
２ｌ  被介護者・被看護者の以前の交友関係の記載欄
２ｍ  被介護者・被看護者の家族の要望の記載欄
２ｎ  被介護者・被看護者趣味、特技、好き嫌いの記載欄
２ｏ  被介護者・被看護者が日常使用しているものの記載欄
２ｐ  被介護者・被看護者が日常使用しているものの記載欄
２ｑ  被介護者・被看護者の病歴の記載欄
２ｒ  被介護者・被看護者のアレルギー、痴呆等の記載欄
３  被介護者・被看護者の氏名の記入欄
４  起算日記入欄
５ａ  温度版の記入日記入欄
５ｂ  温度版の使用月記入欄
５ｃ  被介護者・被看護者の氏名記入欄
５ｄ  被介護者・被看護者の生年月日記入欄
５ｅ  被介護者・被看護者の身長・体重記入欄
５ｆ  被介護者・被看護者の血圧・血漿値・体温記入欄
５ｇ  被介護者・被看護者の排便確認欄
５ｈ  被介護者・被看護者の食事量記入欄
５ｉ  被介護者・被看護内服薬
５ｊ  被介護者・被看護者の既往歴
【図１】
0003106005.tif 000002
【図２】
0003106005.tif 000003
【図３】
0003106005.tif 000004
【図４】
0003106005.tif 000005
【図５】
0003106005.tif 000006
【図６】
0003106005.tif 000007